(57)【特許請求の範囲】
【請求項１】
中央部片の縦方向に沿う両端に側部片を相対して連設して構成した溝形状の一対の該装置基枠を、前記中央部片においてバンド体で支柱に締め付けて該支柱を介して相対設し、該装置基枠間に配して前記支柱を介して相対する一対の太陽電池モジュールを、装置基枠の前記側部片に着脱可能に止着して前記装置基枠に架設するようにしたものであって、前記装置基枠の上端に、該装置基枠上に載置する他の装置基枠の溝形状の内面の下部に重合圧接する支持片を突設した、太陽電池モジュールの装柱装置。
【発明の詳細な説明】
【０００１】
【産業上の利用分野】
本発明は太陽電池モジュールの装柱装置に関するものである。
【０００２】
【従来の技術】
中央部片の縦方向に沿う両端に側部片を相対して連設して溝形状の装置基枠を構成し、一対の該装置基枠を、前記中央部片をバンド体で支柱に締め付けて装柱し、該装置基枠間に配して前記支柱を介して相対する一対の太陽電池モジュールを、前記側部片に着脱可能に止着して前記装置基枠に架設するようにした、太陽電池モジュールの装注装置を、先に提案（特願平１１−１７１１２６号）している。
【０００３】
【発明が解決しようとする課題】
前記構造の装注装置は、太陽電池モジュールを支柱の縦方向に並設するに際しては、バンド体によって装置基枠を装柱した後、該既設の装置基枠の上側に次段の他の装置基枠を重ね合わせ、これを既設の装置基枠と同様にバンド体で締め付け、縦方向に適宜数の装置基枠を並設（装柱）後、各段の装置基枠に太陽電池モジュールを組付ける順を経るのであるが、この装柱作業中、既設の装置基枠上に次段（上側）の装置基枠を並べて装柱（主として外観的見栄えを良好にするため）する作業は、該装置基枠を支持させつつバンド体で締め付けねばならない。
【０００４】
【課題を解決するための手段】
中央部片の縦方向に沿う両端に側部片を相対して連設して構成した溝形状の一対の該装置基枠を、前記中央部片においてバンド体で支柱に締め付けて該支柱を介して相対設し、該装置基枠間に配して前記支柱を介して相対する一対の太陽電池モジュールを、装置基枠の前記側部片に着脱可能に止着して前記装置基枠に架設するようにしたものであって、前記装置基枠の上端に、該装置基枠上に載置する他の装置基枠の溝形状の内面の下部に重合圧接する支持片を突設した構成とする。
【０００５】
【実施例】
図面は本発明に係る太陽電池モジュールの装柱装置の一実施例を示し、図１は一部欠截正面図、図２は電柱を横断して示した平面図、図３は要部の縦断面図、図４は要部の横断面図、図５は主要部材の分解斜視図である。
【０００６】
実施例の装置は、下側の太陽電池モジュール装置単位体Ａを構成する装置基枠１（バンド体２で支柱３に締め付けた）の中央部片１ａの上部中央に螺子孔７を設け、該螺子孔７に支持片８に設けた透孔９を通じて止着螺子１０を螺合して前記支持片８を前記装置基枠１（下側の装置単位体Ａの）に止着し、該支持片８の前記装置基枠１から上方に突出する部分と支柱３との間に、上側の太陽電池モジュール装置単位体Ａを構成する装置基枠１の中央部片１ａの下部を挟入して該上側の装置基枠１の中央部片１ａを挟持して上側の装置基枠１を支持させ（仮止めし）、該上側の装置基枠１をバンド体２で支柱３に締め付け、下位側の装置単位体Ａの装置基枠１上に上側（次段）の装置単位体Ａの装置基枠１を載置して上下に連続するように並べて装柱し、外観体裁を良好にするようにしたものである。
【０００７】
装置単位体Ａは、中央部片１ａの縦方向に沿う両端に側部片１ｂ，１ｂを相対して連設して溝形状の装置基枠１を構成し、支柱３を介して相対する位置に配した一対の該装置基枠１，１を、前記中央部片１ａにおいてバンド体２で支柱３に締め付けて装柱し、該装置基枠（支柱３を介して相対する）１，１間に配して前記支柱３を介して相対する位置に配した一対の太陽電池モジュール４，４を、一対の装置基枠１，１の隣接位置に存する前記側部片１ｂ，１ｂに着脱自在に止着して前記装置基枠（支柱３を介して相対する）１，１間に架設して構成したものである。
【０００８】
装置単位体Ａを構成する装置基枠１は、中央部片１ａと側部片１ｂの連設部に設けた通し孔５に貫通させたバンド体３によって中央部片１ａを支柱３に締め付けて装柱し、中央部片１ａを支柱２の周面の円弧形より小さな円弧に沿う屈曲形状にして前記支柱３との間に隙間６が形成されるようにし、この隙間６を前記止着螺子１０先端の逃げ空間として利用するようにして、前記の通り、止着螺子１０を用いて中央部片１ａに支持片８を止着できるようにしてある。
【０００９】
また、前記支持片８は、中央部片１ａと側部片１ｂが成す装置基枠１のコの字形にほぼ一致するコの字形の主体枠８Ａの中央部片８Ａ´と側部片８Ａ´´，８Ａ´´のそれぞれの上端に支持部片８´，８´´を突設し、主体枠８Ａの前記中央部片８Ａ´に設けた前記透孔９を利用して、前記の通り、装置基枠１に組付けて、各支持部片８´，８´´を装置基枠１の上端より突出させ、該支持部片８´，８´´をその弾性変形を利用して、主体枠８Ａの中央部片８Ａ´に連設した中央の支持部片８´にあっては、上側の装置基枠１の中央部片１ａに圧接して支柱３とで該中央部片１ａを挟持させ、側部片８Ａ´´に連設した両側の支持部片８´´にあっては、装置基枠１のコの字形の内面すなわち装置基枠１ｂの内面に圧接させるようにして前記の「支持（仮止め）」を機能させるようにしたものである。
【００１０】
支持部片８´，８´´は図５で示すように、全体として上端方向に漸次互いに離開するように傾斜状（いわば末拡がり状に）と成し、上部部分を、該傾斜状と反対方向に傾斜させて、上位側の装置基枠１の下部の係合操作を円滑に行えるようにし、かつ、装置基枠１の枠形状の内面に圧接して装置基枠１の下部を支柱３とで挟持し、支持するようにしてある。
【００１１】
なお、主体枠８Ａの一対の側部片８Ａ´´，８Ａ´´のそれぞれに連設した支持部片８´´の一方又は双方を省略しても不都合はないが、この場合は、中央部片８Ａ´に連設した中央の支持部片８´の、装置基枠１の中央部片１ａに対する圧接強度を高め、支柱３との挟持をより強固に行うようにすべきである。また、上位側の中央部片１ａを中央の支持部片８´と支柱３とで必ずしも挟持する必要はないが、この場合は、装置基枠１（上位側の）の中央部片１ａおよび左右の側部片１ｂ，１ｂのそれぞれの内面（装置基枠１が成すコの字形の）に、実施例のように支持部片８´，８´´が弾性的に圧接するようにすべきで、上側の装置基枠１は、各片１ａ、１ｂ，１ｂはそれぞれが支持部片８´，８´´によって内側から押圧されることにより、下側の装置基枠１上に載置された状態が維持され、前記の「支持（仮止め）」状態となる。
【００１２】
前記太陽電池モジュール４は、基枠１２に太陽電池セルを列設した、３個の縦長のモジュール構成体４´，４´，４´を互いに角度を変えて取り付けて構成したもので、装置基枠１の側部片１ｂに基枠部片１２ａをボルト１３およびナット１４で締め付けて支柱３周側方向に並べた一対の装置基枠１，１間に介装したものである。
【００１３】
この太陽電池モジュール４は、バンド体２および支持片８を利用して装置基枠１，…を支柱３に取り付けた後、該装置基枠１に組み付けて装柱する。
【００１４】
【発明の効果】
本発明は前記の通りの構成であるから、設置面積が少くてすみ、施工性に優れ、しかも、装置基枠が上下方向に連続することによる外観的見栄えの良好なモジュールの装柱状態を得られる。
【図面の簡単な説明】
【図１】一部欠截正面図。
【図２】電柱を横断して示した平面図。
【図３】要部の縦断面図。
【図４】要部の横断面図。
【図５】主要部材の分解斜視図。
【符号の説明】
１      装置基枠
１ａ    中央部片
１ｂ    側部片
２      バンド体
３      支柱
４      太陽電池モジュール
８      支持片
【図１】
0003628968.tif 000002
【図２】
0003628968.tif 000003
【図３】
0003628968.tif 000004
【図４】
0003628968.tif 000005
【図５】
0003628968.tif 000006